(57)【要約】【課題】コネクタの破損を防止でき、携帯型の機器の所定箇所に容易に着脱できるコネクタガイドを提供する。【解決手段】携帯型のバッテリ２のメス側コネクタ３に接続されるオス側コネクタ５をガイドするためのコネクタガイド１であって、バッテリ２を上下に挟み込む一対の狭持片２０，２１を有し、該一対の狭持片２０，２１によりバッテリ２の外面に着脱可能に取り付けられる構成であり、バッテリ２に対するコネクタガイド１の左右方向の位置決めを行うための係合突起２６を連結片２２に備えている。【選択図】図９
2018073694.tif 000002
【特許請求の範囲】
【請求項１】
携帯型の機器のメス側コネクタに接続されるオス側コネクタをガイドするためのコネクタガイドであって、
携帯型の機器の外面のうちメス側コネクタが開口している面を正面としたとき、該正面に隣接すると共にメス側コネクタとオス側コネクタの接続方向に対して直交する第一の直交方向に対向した一対の対向面を挟み込む一対の狭持部を有し、該一対の狭持部により携帯型の機器の外面に着脱可能に取り付けられる構成であり、
携帯型の機器に対するコネクタガイドの位置決めであって、接続方向と第一の直交方向の双方に対して直交する第二の直交方向の位置決めを行うための位置決め部を、携帯型の機器に取り付けられた際に携帯型の機器の正面と対峙する面に備えていることを特徴とするコネクタガイド。
【請求項２】
携帯型の機器の正面にはメス側コネクタが複数設けられており、位置決め部は、複数のメス側コネクタのうちの一箇所に挿入される請求項１記載のコネクタガイド。
【発明の詳細な説明】
【技術分野】
【０００１】
本発明は、コネクタをガイドするためのコネクタガイドに関する。
【背景技術】
【０００２】
ＵＳＢ等において、オス側コネクタがメス側コネクタに接続される。オス側コネクタがメス側コネクタに接続された状態において、オス側コネクタに外部から力が作用すると、オス側コネクタやメス側コネクタが破損することがある。特に、携帯型の機器のメス側コネクタにオス側コネクタを接続する場合においては、オス側コネクタに外力が作用して、オス側コネクタやメス側コネクタが破損しやすい。
【０００３】
下記特許文献１では、ＰＣカードにコネクタ補助具を備えた構成が開示されている。ＰＣカードのメス側コネクタには通信ケーブルのオス側コネクタが接続される。その際、ＰＣカードのメス側コネクタと通信ケーブルのオス側コネクタとの接続状態を、ＰＣカードのコネクタ補助具が保持する。しかしながら、この構成においては、ＰＣカードに対するコネクタ補助具の装着については考慮されていない。また、下記特許文献２におけるコネクタガイドにおいても、ネジで取り付けられる構成であって、使用状況に応じてコネクタガイドを着脱する構成ではない。
【先行技術文献】
【特許文献】
【０００４】
【特許文献１】特開２００１−２１７０３７号公報
【特許文献２】特開２０１６−５１５９５号公報
【発明の概要】
【発明が解決しようとする課題】
【０００５】
それゆえに本発明は上記従来の問題点に鑑みてなされ、コネクタの破損を防止でき、携帯型の機器の所定箇所に容易に着脱できるコネクタガイドを提供することを課題とする。
【課題を解決するための手段】
【０００６】
本発明は上記課題を解決すべくなされたものであって、本発明に係るコネクタガイドは、携帯型の機器のメス側コネクタに接続されるオス側コネクタをガイドするためのコネクタガイドであって、携帯型の機器の外面のうちメス側コネクタが開口している面を正面としたとき、該正面に隣接すると共にメス側コネクタとオス側コネクタの接続方向に対して直交する第一の直交方向に対向した一対の対向面を挟み込む一対の狭持部を有し、該一対の狭持部により携帯型の機器の外面に着脱可能に取り付けられる構成であり、携帯型の機器に対するコネクタガイドの位置決めであって、接続方向と第一の直交方向の双方に対して直交する第二の直交方向の位置決めを行うための位置決め部を、携帯型の機器に取り付けられた際に携帯型の機器の正面と対峙する面に備えていることを特徴とする。
【０００７】
該構成のコネクタガイドは、一対の狭持部を有している。そのため、携帯型の機器にコネクタガイドを取り付けると、コネクタガイドは携帯型の機器を例えば上下に挟み込むことができ、その狭持力によってコネクタガイドは携帯型の機器に確実に取り付けられる。そして、コネクタガイドは位置決め部を備えているので、コネクタガイドを携帯型の機器に取り付けると、位置決め部によって例えばコネクタガイドの携帯型の機器に対する水平方向の位置決めがなされる。従って、携帯型の機器の所定位置にコネクタガイドを確実に取り付けることができる。
【０００８】
特に、携帯型の機器の正面にはメス側コネクタが複数設けられており、位置決め部は、複数のメス側コネクタのうちの一箇所に挿入されることが好ましい。複数のメス側コネクタのうちの一箇所を位置決め用の凹部として使用することで、容易且つ確実にコネクタガイドを位置決めできる。また、残る一箇所のメス側コネクタにオス側コネクタを接続できる。
【発明の効果】
【０００９】
以上のように、一対の狭持部と位置決め部とを備えているので、携帯型の機器に容易に着脱できると共に、所定位置に確実に取り付けることができる。コネクタガイドが所定位置に取り付けられるので、オス側コネクタをメス側コネクタに正確に接続できる。
【図面の簡単な説明】
【００１０】
【図１】本発明の一実施形態におけるコネクタガイドを正面側から見た斜視図。
【図２】同コネクタガイドを背面側から見た斜視図。
【図３】同コネクタガイドの正面図。
【図４】同コネクタガイドの平面図。
【図５】同コネクタガイドの背面図。
【図６】（ａ）は同コネクタガイドの側面図、（ｂ）は図３のＡ−Ａ断面図。
【図７】同コネクタガイドを携帯型の機器に接続した使用状態を示す平面図。
【図８】同コネクタガイドの使用状態を示す側面図。
【図９】同コネクタガイドとオス側コネクタを携帯型の機器に接続する前の状態を示す要部断面図。
【図１０】同コネクタガイドを携帯型の機器に接続した状態を示す断面図。
【図１１】同コネクタガイドとオス側コネクタを携帯型の機器に接続した状態を示す図７のＢ−Ｂ断面図。
【発明を実施するための形態】
【００１１】
以下、本発明の一実施形態にかかるコネクタガイド１について図１〜図１１を参酌しつつ説明する。本実施形態におけるコネクタガイド１は、携帯型の機器の外面に着脱自在に取り付けられるアタッチメント型のものである。本実施形態において携帯型の機器は、携帯型のバッテリ２である。以下、単にバッテリ２と称する。
【００１２】
＜バッテリ２＞
バッテリ２の形状は種々の形状であってよいが、例えば図７〜図１１のように正面２ａと背面２ｂと上面２ｃと下面２ｄと左右両側面２ｅ，２ｆとを備えた形状であり、正面２ａにオス側コネクタ５が接続されるメス側コネクタ３を備えている。尚、正面２ａ等の呼び名はあくまでも説明の便宜上のものである。メス側コネクタ３が開口している面を正面２ａと称することとする。正面２ａと背面２ｂは互いに平行であり、上面２ｃと下面２ｄは互いに平行であって、これらの四つの面２ａ，２ｂ，２ｃ，２ｄは何れも平面となっている。上面２ｃと下面２ｄが一対の対向面となる。上面２ｃ、下面２ｄ、左右両側面２ｅ，２ｆは、何れも正面２ａと隣接している。左右両側面２ｅ，２ｆは、他の四つの面２ａ，２ｂ，２ｃ，２ｄと同様に平面となっている。また、正面２ａは、上面２ｃ及び下面２ｄに対して直角の面である。尚、正面２ａ側を前側、背面２ｂ側を後側とする。バッテリ２の上面２ｃの中央部には、押圧操作されるボタンスイッチ４が設けられている。バッテリ２の上下方向の寸法は、バッテリ２の左右方向の寸法よりも小さい。
【００１３】
バッテリ２は、メス側コネクタ３を備えている。メス側コネクタ３はＵＳＢコネクタであり、特には、スタンダードのＡタイプである。従って、メス側コネクタ３は、正面視において横長の長方形状である。また、メス側コネクタ３は、上下非対称の構造である。即ち、メス側コネクタ３は、上部あるいは下部の何れか一方に、図示しないピンが水平方向に並設された樹脂製の端子板３ａを備えている。本実施形態では、メス側コネクタ３は、端子板３ａを下側に備えている。接続時には、オス側コネクタ５の上下の向きをメス側コネクタ３に合わせる必要がある。メス側コネクタ３とオス側コネクタ５の接続方向は前後方向である。バッテリ２の正面２ａは、メス側コネクタ３とオス側コネクタ５の接続方向を法線方向とする面である。
【００１４】
メス側コネクタ３は、バッテリ２の正面２ａの左右方向の中央部に位置している。メス側コネクタ３は、二口設けられていて、上下に一列に並んで設けられている。上下一対のメス側コネクタ３は何れも上下同じ向きで設けられていて、それらの端子板３ａは何れも下側に位置している。
【００１５】
オス側コネクタ５はメス側コネクタ３に対応したものである。オス側コネクタ５を先端側から見た正面視において、オス側コネクタ５は横長の長方形状である。オス側コネクタ５は、合成樹脂製の把持部６と、該把持部６の先端側に位置し、把持部６の先端面６ａから先側に突出した端子部７とを備えている。端子部７は、横長の角筒状である金属製の端子筒８と、該端子筒８の内側の上部に配置された端子板９とを備えている。従って、オス側コネクタ５をバッテリ２のメス側コネクタ３に接続する際には、オス側コネクタ５の端子板９が上側を向くようにオス側コネクタ５の上下の向きを設定して、オス側コネクタ５をメス側コネクタ３に接続する。尚、オス側コネクタ５の把持部６から後方に向けてケーブル１０が延びている。
【００１６】
＜コネクタガイド１＞
本実施形態のコネクタガイド１は、以上のような形状のバッテリ２に取り付けられて使用されるものである。コネクタガイド１は、合成樹脂製や金属製であってよい。本実施形態においてコネクタガイド１は、合成樹脂製であって、射出成形により形成された射出成形品である。従って、コネクタガイド１は、全体が一つの部品から構成されたものである。本実施形態において、メス側コネクタ３とオス側コネクタ５の接続方向は前後方向であり、その前後方向に対して直交する第一の直交方向は上下方向である。また、接続方向と第一の直交方向の双方に対して直交する第二の直交方向は、左右方向である。
【００１７】
＜全体構成、狭持片２０，２１＞
図１〜図６にコネクタガイド１を示している。コネクタガイド１は、上下一対の狭持片２０，２１と、上下一対の狭持片２０，２１の前端部同士を上下に連結する連結片２２とを備えている。上下一対の狭持片２０，２１と連結片２２は、全体としてコの字状となっている。本実施形態において狭持片２０，２１が狭持部を構成している。上下一対の狭持片２０，２１は互いに略平行となっている。上下の狭持片２０，２１の内面は、前側から後側に向けて互いに離れる方向に僅かに傾斜しつつ延びている。上下の狭持片２０，２１同士の間の上下の間隔は、バッテリ２の上下寸法に対応していてそれと略同じである。狭持片２０，２１は板状であって、具体的には薄い板状である。狭持片２０，２１の厚さは例えば１〜５ｍｍである。上下の狭持片２０，２１の厚さは互いに等しい。狭持片２０，２１の前後方向の寸法及び左右方向の寸法はそれぞれ任意であるが、好ましくは、前後方向の寸法に対して左右方向の寸法の方が長い。また、狭持片２０，２１の左右方向の寸法は、少なくともメス側コネクタ３及びオス側コネクタ５の左右方向の寸法よりも長い。尚、上側の狭持片２０の後端部の中央部には半円状の切欠部２３が形成されている。
【００１８】
狭持片２０，２１の内面には、前後方向に沿って筋状に延びる突条２４が突設されている。該突条２４は、上側の狭持片２０においては内面から下方に向けて、下側の狭持片２０，２１においては内面から上方に向けて、それぞれ所定量突出している。突条２４は細い幅で前後方向に一直線状に延びていて、狭持片２０，２１の内面の前後方向の略全長に亘って形成されている。突条２４の頂面の幅は細く、突条２４の頂面は全長に亘って水平な平面となっている。上述したように狭持片２０，２１の内面は前側から後側に向けて僅かに傾斜している。上側の狭持片２０の内面及び外面は何れも前側から後側に向けて徐々に上側に傾斜しており、下側の狭持片２０，２１の内面及び外面は前側から後側に向けて徐々に下側に傾斜している。従って、突条２４の内面からの突出量は、前側から後側に向けて徐々に大きくなっている。
【００１９】
突条２４は、上下の狭持片２０，２１のそれぞれにおいて左右一対ずつ形成されている。突条２４は、狭持片２０，２１の左右の側端部の近傍に位置している。コネクタガイド１をバッテリ２に取り付けたとき、バッテリ２のメス側コネクタ３の左右両側に突条２４が位置する。上側の狭持片２０における左右一対の突条２４は、下側の狭持片２０，２１における左右一対の突条２４と上下対向した位置関係にある。上側の突条２４の頂面と下側の突条２４の頂面との間の距離は、バッテリ２の上下寸法と略同じに設定されている。従って、コネクタガイド１をバッテリ２に取り付けたとき、上下一対の狭持片２０，２１は、バッテリ２の上面２ｃ及び下面２ｄと、突条２４の頂面のみで当接する。
【００２０】
＜連結片２２＞
連結片２２は、狭持片２０，２１と同様に板状であって、具体的には薄い板状であり、その厚さは例えば１〜５ｍｍである。連結片２２の厚さと狭持片２０，２１の厚さは互いに等しいが、異なっていてもよい。コネクタガイド１を取り付けていない状態のバッテリ２のメス側コネクタ３にオス側コネクタ５を最奧部３ｂまで挿入したとき、オス側コネクタ５の把持部６の先端面６ａとバッテリ２の正面２ａとの間には所定の隙間が存在する。連結片２２の厚さは、バッテリ２の正面２ａとオス側コネクタ５の把持部６の先端面６ａとの間の間隔と略等しく、バッテリ２の正面２ａとオス側コネクタ５の把持部６の先端面６ａとの間の間隔を越えないようにする。
【００２１】
連結片２２は、上下一対の狭持片２０，２１の前端部同士を、その全幅に亘って、即ち、左右方向の全長に亘って連結一体化している。従って、連結片２２の左右方向の寸法は狭持片２０，２１の左右方向の寸法と等しい。
【００２２】
コネクタガイド１をバッテリ２に取り付けたとき、連結片２２の内面はバッテリ２の正面２ａに当接する。本実施形態において、連結片２２の内面がバッテリ２の正面２ａと対峙する面である。連結片２２には、オス側コネクタ５の端子部７が挿通可能な挿通孔２５が形成されている。該挿通孔２５は連結片２２を前後に貫通している。挿通孔２５は、左右方向に長い横長の長方形状である。オス側コネクタ５の端子部７は挿通孔２５を挿通可能である一方、オス側コネクタ５の把持部６は挿通孔２５を挿通することができない。挿通孔２５は、バッテリ２の下側のメス側コネクタ３に対応した位置に形成されている。挿通孔２５は、連結片２２の左右方向の中央部に位置していて、且つ、上下方向の中央部に対して下側にオフセットしている。
【００２３】
連結片２２の内面には、位置決め部として、係合突起２６が形成されている。該係合突起２６は、連結片２２の内面から後方に向けて略水平に突出している。係合突起２６は、挿通孔２５の上側に位置していて、挿通孔２５と係合突起２６は、左右方向において同じ位置にある。図５のように、係合突起２６を後方から正視したとき、あるいは係合突起２６を連結片２２と平行の切断面であって且つ上下方向の切断面で切断したときの横断面視において、係合突起２６は左右方向に長い横長の板状であって、メス側コネクタ３に挿入可能な大きさとなっている。コネクタガイド１をバッテリ２に取り付けた際に、係合突起２６はメス側コネクタ３における端子板３ａよりも上側の孔部分に挿入可能である。つまり、係合突起２６はダミーのオス側コネクタ５としても機能する。係合突起２６の左右方向の寸法（幅）は、オス側コネクタ５の端子部７の左右方向の寸法と略同じである。係合突起２６の上下方向の寸法（厚さ）は、オス側コネクタ５の端子部７における端子板９の上下方向の寸法と略同じである。係合突起２６の前後方向の寸法（長さ）は、メス側コネクタ３の深さ以下である。より詳細には、コネクタガイド１をバッテリ２に取り付けてバッテリ２のメス側コネクタ３にオス側コネクタ５を挿入した状態において、係合突起２６の先端は、オス側コネクタ５の先端よりも手前側、即ち、バッテリ２の正面２ａ側に位置する。尚、係合突起２６の先端部の上側の角部には、面取り部２６ａが形成されている。
【００２４】
連結片２２の外面に、メス側コネクタ３に接続されたオス側コネクタ５を支持するための支持壁３０を備えている。支持壁３０は、角筒状であって、オス側コネクタ５の把持部６の形状に対応して、断面形状が横長の長方形状となっている。角筒状の支持壁３０はオス側コネクタ５の把持部６の四つの外面を外側から面で支持する。従って、支持壁３０は、上下一対の壁面部と左右一対の壁面部とを有している。支持壁３０の上下一対の壁面部は、オス側コネクタ５の把持部６を上下方向に支持する。支持壁３０の左右一対の壁面部は、オス側コネクタ５の把持部６を左右方向に支持する。従って、支持壁３０は、オス側コネクタ５の把持部６を上下方向と左右方向の二方向から支持する。
【００２５】
角筒状の支持壁３０は、連結片２２の外面から前側に向けて略水平に突出している。支持壁３０は、挿通孔２５の開口部の周囲に形成されていて、挿通孔２５の開口部の回りを周回している。支持壁３０の内面は、挿通孔２５の開口縁部から所定距離外側の位置を周回している。従って、挿通孔２５の壁面と支持壁３０の内面との間には段差が生じている。コネクタガイド１をバッテリ２に取り付けて、オス側コネクタ５をコネクタガイド１の挿通孔２５を介してメス側コネクタ３に挿入すると、オス側コネクタ５の把持部６の先端面６ａは、連結片２２の外面のうち、支持壁３０の内側に位置する部分に当接する。
【００２６】
支持壁３０の前後方向の長さは、支持壁３０の軸線方向の長さであり、連結片２２の外面からの支持壁３０の突出長さでもある。その支持壁３０の前後方向の長さは任意であって、その長さが長い程、オス側コネクタ５を確実に支持できる。但し、メス側コネクタ３にオス側コネクタ５を挿入したとき、オス側コネクタ５の把持部６の後部が指先で摘むことができる程度に、オス側コネクタ５の把持部６の後部が支持壁３０から露出していることが好ましい。
【００２７】
支持壁３０の外面には適宜リブ３１を形成することが好ましく、リブ３１によって支持壁３０の外面と連結片２２の外面とを連結一体化することが好ましい。メス側コネクタ３に接続されたオス側コネクタ５は、特に上下方向の外力に対して弱い。従って、支持壁３０は特には上下一対の壁面部による支持が重要である。そのため、本実施形態では、支持壁３０の外面のうち上下一対の壁面部の外面と連結片２２の外面とを連結するリブ３１が形成されている。リブ３１は板状であって、平面視あるいは底面視において、前後方向に筋状に伸びていて、連結片２２の外面から支持壁３０の前端縁まで延びている。リブ３１は上下一本ずつ形成してもよいが、リブ３１を左右方向に間隔をあけて複数形成することが好ましく、本実施形態では、上側に三箇所、下側に三箇所、それぞれ形成されている。尚、支持壁３０の左右一対の壁面部にもリブ３１を形成してもよい。このようにリブ３１を形成することにより、支持壁３０の基端部（支持壁３０と連結片２２の外面との境界部分）における応力集中を緩和できて支持壁３０の基端部における破損が防止される。
【００２８】
以上のように構成されたコネクタガイド１は、図９〜図１１のように、バッテリ２の正面２ａに取り付けられる。図９のように、コネクタガイド１をバッテリ２の前側から後側に向けて差し込むように装着する。コネクタガイド１の上下一対の狭持片２０，２１はそれぞれバッテリ２の上面２ｃと下面２ｄに対向しながら後側に向けてスライドしていく。一対の狭持片２０，２１の内面には突条２４が形成されているので、突条２４のみがバッテリ２の上面２ｃ及び下面２ｄと接触し、狭持片２０，２１の内面のうち突条２４以外の部分はバッテリ２の上面２ｃ及び下面２ｄとは隙間を介して対峙する。従って、突条２４のみがバッテリ２の上面２ｃ及び下面２ｄと摺動する。また、突条２４は、コネクタガイド１の装着方向に沿って直線状に延びている。そのため、抵抗が小さい状態でコネクタガイド１をバッテリ２にスムーズにスライド装着することができる。
【００２９】
コネクタガイド１をバッテリ２にスライドさせながら装着していくと、係合突起２６がバッテリ２の正面２ａに近づいていく。そして、係合突起２６が上側のメス側コネクタ３に挿入していく。尚、コネクタガイド１の上下の向きを仮に逆向きにした状態でバッテリ２に装着しようとしても、係合突起２６がメス側コネクタ３に挿入できない。従って、使用者は、コネクタガイド１の上下の向きが間違っていることを容易に認識できる。また、上側の狭持片２０には切欠部２３が形成されていて、上下一対の狭持片２０，２１は上下非対称の形状となっているので、コネクタガイド１の上下の向きを容易に判別できる。連結片２２がバッテリ２の正面２ａに当接するまで、コネクタガイド１を後側にスライドさせる。図１０のようにコネクタガイド１をバッテリ２に装着した状態において、係合突起２６の先端部はメス側コネクタ３の最奥部３ｂには当接しない。また、係合突起２６はメス側コネクタ３の端子板３ａの上側に位置する。
【００３０】
係合突起２６がメス側コネクタ３に入り込むことで、バッテリ２に対するコネクタガイド１の左右方向の位置決めがなされる。従って、係合突起２６をメス側コネクタ３に挿入させることで、コネクタガイド１をバッテリ２の左右方向の所定位置に自動的に装着することができる。そして、図１０のようにコネクタガイド１を所定位置に装着すると、下側のメス側コネクタ３の前側にコネクタガイド１の挿通孔２５が位置する。下側のメス側コネクタ３とコネクタガイド１の挿通孔２５は、互いに、上下方向及び左右方向の位置が合った状態となる。尚、上側のメス側コネクタ３はコネクタガイド１の連結片２２によって前側から覆われるので、外部から見えなくなる。
【００３１】
このようにしてコネクタガイド１をバッテリ２に装着する。一対の狭持片２０，２１がバッテリ２を上下に挟み込むので、容易に且つ確実にコネクタガイド１をバッテリ２に取り付けることができる。また、バッテリ２からコネクタガイド１を取り外す作業も容易である。従って、状況に応じてコネクタガイド１をバッテリ２に取り付けたり、取り外したりできる。
【００３２】
バッテリ２にコネクタガイド１を取り付けた後、オス側コネクタ５をコネクタガイド１の挿通孔２５に挿入していく。コネクタガイド１の挿通孔２５の後側には下側のメス側コネクタ３が位置しているので、オス側コネクタ５は自動的に下側のメス側コネクタ３に挿入されることになる。また、支持壁３０が連結片２２から前側に向けて突出しているので、オス側コネクタ５を下側のメス側コネクタ３に挿入していくとき、支持壁３０がガイドとして機能する。そのため、オス側コネクタ５が上下方向や左右方向に傾きにくくなり、オス側コネクタ５を確実に下側のメス側コネクタ３に差し込むことができる。また、オス側コネクタ５を無理に押し込むことがなくなるので、接続時にオス側コネクタ５や下側のメス側コネクタ３を破損したりすることもなくなる。
【００３３】
図１１のようにオス側コネクタ５を下側のメス側コネクタ３の最奧部３ｂまで差し込むと、オス側コネクタ５の把持部６の先端面６ａは、連結片２２の外面に当接した状態となるか、あるいは、連結片２２の外面から僅かに前側に離間した状態となる。また、オス側コネクタ５の把持部６の周囲にはコネクタガイド１の支持壁３０が位置する。従って、オス側コネクタ５に上下方向の力や左右方向の力が作用しても、オス側コネクタ５が傾きにくくなり、オス側コネクタ５の端子部７や下側のメス側コネクタ３の端子板３ａに過度に大きな力は働かない。そのため、オス側コネクタ５や下側のメス側コネクタ３の破損を防止することができる。特に、支持壁３０の上下にはリブ３１が形成されているので、上下方向の外力に対する支持壁３０の強度が大きい。従って、オス側コネクタ５に上下方向の大きな外力が作用しても、支持壁３０がオス側コネクタ５を確実に支える。尚、上側の狭持片２０には切欠部２３が形成されているので、バッテリ２の上面２ｃのボタンスイッチ４を操作する際に上側の狭持片２０が邪魔になるということがない。
【００３４】
尚、オス側コネクタ５をバッテリ２から外す際には、オス側コネクタ５のみを引き抜いてもよいし、コネクタガイド１をバッテリ２から前側に引き離すことでコネクタガイド１とオス側コネクタ５をセットで取り外すこともできる。同様に、オス側コネクタ５をコネクタガイド１とセットでバッテリ２に装着してもよい。
【００３５】
尚、本実施形態では、係合突起２６が上側のメス側コネクタ３に挿入し、挿通孔２５が下側のメス側コネクタ３の前側に対峙する構成であったが、上下逆の構成であってもよい。即ち、係合突起２６が下側のメス側コネクタ３に挿入し、挿通孔２５が上側のメス側コネクタ３の前側に対峙する構成であってもよい。また、係合突起２６を備えずに、上下二つのメス側コネクタ３に対応して挿通孔２５が上下一対形成された構成であってもよい。
【００３６】
また、支持壁３０は角筒状に構成されていたが、角筒状ではなく、左右方向に開放していて上下一対の壁面部のみを備える構成であってもよい。但し、角筒状とすることにより、支持壁３０の強度が向上する。
【００３７】
メス側コネクタ３の個数は二個でなくてもよく、一個であってもよいし、三個以上であってもよい。また、コネクタガイド１は、ＵＳＢコネクタ以外の各種のコネクタの接続に適用できる。
【符号の説明】
【００３８】
１    コネクタガイド
２    バッテリ
２ａ  正面
２ｂ  背面
２ｃ  上面（対向面）
２ｄ  下面（対向面）
２ｅ  側面
２ｆ  側面
３    メス側コネクタ
３ａ  端子板
３ｂ  最奧部
４    ボタンスイッチ
５    オス側コネクタ
６    把持部
６ａ  先端面
７    端子部
８    端子筒
９    端子板
１０    ケーブル
２０    上側の狭持片（狭持部）
２１    下側の狭持片（狭持部）
２２    連結片
２３    切欠部
２４    突条
２５    挿通孔
２６    係合突起（位置決め部）
２６ａ  面取り部
３０    支持壁
３１    リブ
【図１】
2018073694.tif 000003
【図２】
2018073694.tif 000004
【図３】
2018073694.tif 000005
【図４】
2018073694.tif 000006
【図５】
2018073694.tif 000007
【図６】
2018073694.tif 000008
【図７】
2018073694.tif 000009
【図８】
2018073694.tif 000010
【図９】
2018073694.tif 000011
【図１０】
2018073694.tif 000012
【図１１】
2018073694.tif 000013